(57)【要約】    【課題】ＡＤＦにおけるジャム処理作業の簡易化及びジャム処理作業にかかる時間の短縮を実現する。    【解決手段】原稿読取台５の上面に配設されたプラテンガラス６０を覆うように原稿読取台５に開閉可能に支持された原稿カバー７に設けられたＡＤＦ６であって、ピンチローラ１０２，１０３の軸を、搬送ローラ１００，１０１に対して接離するように上下可動に軸支する軸受部１１０と、ピンチローラ１０２，１０３の下方に上下可動に設けられ、原稿カバー７の底面から突出する突出姿勢と、同底面に没入する没入姿勢とに姿勢変化するバネホルダブラケット１０６と、バネホルダブラケット１０６に支持され、突出姿勢の場合にピンチローラ１０２，１０３が搬送ローラ１００，１０１から離反し、没入姿勢の場合にピンチローラ１０２，１０３が搬送ローラ１００，１０１に圧接するように、ピンチローラ１０２，１０３の軸を上方向へ付勢するバネ片１０８とを設ける。【選択図】図５
2007060085.tif 000002
【特許請求の範囲】
【請求項１】
原稿読取台の上面に配設されたプラテンガラスを覆うように該原稿読取台に開閉可能に支持されたカバー部材に設けられ、原稿が載置される原稿載置部から原稿が排出される原稿排出部へ搬送路を通じて原稿を搬送する原稿搬送装置であって、
上記搬送路に配設され、原稿をニップして搬送する上下一対の搬送ローラ対と、
上記搬送ローラ対の下側に配置された下側搬送ローラの軸を、該下側搬送ローラが、その上側に配置された上側搬送ローラに対して接離するように、上下可動に支持する軸受部材と、
上記カバー部材の上記下側搬送ローラの下方に上下可動に設けられ、カバー部材の開時にその底面から突出する突出姿勢と、カバー部材の閉時にその底面に没入する没入姿勢とに姿勢変化する出没部材と、
上記出没部材に支持され、該出没部材が突出姿勢の場合に上記下側搬送ローラが上記上側搬送ローラから離反し、出没部材が没入姿勢の場合に下側搬送ローラが上側搬送ローラに圧接するように、下側搬送ローラを上側搬送ローラへ付勢する付勢部材と、を具備してなるものである原稿搬送装置。
【請求項２】
上記カバー部材は、その底面の上記プラテンガラスに対向する位置に開口が形成されたものであり、
上記搬送路は、上記原稿載置部から上記開口を経て上記原稿排出部へ原稿を案内するものであり、
上記搬送ローラ対は、上記開口付近の上記搬送路に配設されて、該開口へ原稿を搬送するもの又は該開口から原稿を搬送するもののいずれか一方又は双方である請求項１に記載の原稿搬送装置。
【請求項３】
上記出没部材は、上記原稿読取台の上面であって上記プラテンガラスが設けられていない位置に当接して、上記カバー部材に没入するものである請求項１又は２に記載の原稿搬送装置。
【発明の詳細な説明】
【技術分野】
【０００１】
本発明は、原稿読取台の上面に配設されたプラテンガラスを覆うように該原稿読取台に開閉可能に支持されたカバー部材に設けられ、原稿が載置される原稿載置部から原稿が排出される原稿排出部へ搬送路を通じて原稿を搬送する原稿搬送装置に関する。
【背景技術】
【０００２】
従来より、スキャナ装置、複写機、ファクシミリ装置、或いはこれらの各機能を併有する複合機（多機能装置とも称される）などの画像処理装置に、原稿トレイ（原稿載置部）にセットされた複数枚の原稿を一枚ずつ取り出して搬送路へ給紙し、読取位置を経由して原稿排出トレイへ原稿を自動搬送する原稿搬送装置が備えられたものが広く知られている。以下、本明細書において、上記原稿搬送装置をＡＤＦ（ADF：Auto Document Feeder）と略称する。以下に、図１２を参照して、従来のＡＤＦ１３０の概略構成について簡単に説明する。ここに、図１２は、従来のＡＤＦ１３０の概略構成を示す模式図である。
【０００３】
ＡＤＦ１３０は、図示するように、大別すると、原稿が載置される原稿トレイ１３２と、原稿が排出される原稿排出トレイ１４５と、原稿トレイ１３２から原稿を取り出して搬送路１３９へ給紙する給紙部１３１と、搬送路１３９に給紙された原稿を読取位置を経由して原稿排出トレイ１４５へ搬送する原稿搬送部１３８とを有して構成される。
【０００４】
給紙部１３１は、原稿トレイ１３２に連続して形成された吸入シュート部１３３に、吸入ローラ１３４、吸入ニップ片１３５、分離ローラ１３６及び分離ニップ片１３７が配設されてなる。吸入ローラ１３４は、吸入シュート部１３３の下側のガイド面（不図示）に回転可能に配設されている。吸入ローラ１３４の対向位置となる吸入シュート部１３３の上側のガイド面（不図示）には、吸入ニップ片１３５が吸入ローラ１３４に接離可能に配設されており、不図示のバネ材により付勢されて吸入ローラ１３４に圧接されている。
【０００５】
原稿トレイ１３２にセットされた原稿は、吸入ニップ片１３５により吸入ローラ１３４側へ付勢され、吸入ローラ１３４と圧接する最下位置の原稿が、吸入ローラ１３４の回転を受けて給紙方向へ送り出される。
【０００６】
分離ローラ１３６は、吸入ローラ１３４から給紙方向へ隔てて、吸入シュート部１３３の下側のガイド面に回転可能に配設されている。分離ローラ１３６の対向位置となる吸入シュート部１３３の上側のガイド面には、分離ニップ片１３７が分離ローラ１３６に接離可能に配設されており、不図示のバネ材により付勢されて分離ローラ１３６と圧接している。吸入ローラ１３４により送り出された原稿は、分離ローラ１３６と分離ニップ片１３７によりニップされ、分離ローラ１３６の回転を受けて給紙方向へ更に送り出される。
【０００７】
原稿搬送部１３８は、吸入シュート部１３３から下流側に形成され、断面視で略横向き略Ｕ字状の搬送路１３９に、搬送ローラ１４０と、搬送ローラ１４０に圧接するピンチローラ１４１とが配設されてなる。
【０００８】
搬送路１３９に給紙された原稿は、回転駆動される搬送ローラ１４０と、搬送ローラ１４０の回転に伴って従動するピンチローラ１４１とによって狭持され、その状態で搬送ローラ１４０が回転されるにより搬送される。これにより、原稿が搬送路１３９に沿って搬送される。原稿の搬送過程において、原稿がガイド部材１４２に案内されて図示しない開口からプラテンガラス１４３上へ搬送され、プラテンガラス１４３の下方に配設されたイメージスキャナ１４４により、プラテンガラス１４３上を通過する原稿の画像が読み取られる。読み取り後の原稿は、上記開口から搬送路１３９に取り込まれ、搬送路１３９から原稿排出トレイ１４５へ排出される。
【０００９】
上述の如く構成されたＡＤＦ１３０では、搬送路１３９において原稿のジャム（原稿詰まり）が発生すると、原稿は搬送ローラ１４０とピンチローラ１４１との圧接によりニップ（狭持）されているため、この圧接を解除しなければ、原稿を損傷させることなく取り出すことができないという問題が生じ得る。
【００１０】
このような問題を回避するために、搬送ローラ１４０及びピンチローラ１４１を離反する方向へ力を作用させて各ローラ間に働く圧接力を解除する圧接解除部材が知られている。この圧接解除部材としては、例えば、操作されることにより付属のカム部がいずれかのローラ軸に押圧するように設けられたレバー（特許文献１参照）や、先端にピンチローラが設けられた板部材をその略中間位置で揺動自在に支持し、後端を押し操作することにより先端のピンチローラが搬送ローラから離反するように構成されたもの（特許文献２参照）等が提案されている。
【００１１】
また、ＡＤＦ１３０の上面側を開放するための上面カバーの開動作に連動して、搬送ローラ或いはピンチローラのいずれかを押し下げることにより圧接状態を解除するカム機構（特許文献３参照）、搬送ローラ１４０を軸支するガイド或いはピンチローラ１４１を軸支するガイドのいずれか一方のガイドを操作すると、他方のガイドが連動して動作されて、ローラの圧接状態を解除する機構（特許文献４参照）、プラテンガラス１４３に沿って原稿が搬送されている際にジャムが生じた場合に、原稿カバー（カバー部材）を開位置に回動させ、更に、原稿カバーの底面に旋回自在に設けられた搬送路を開閉するための補助枠体を開位置に回動させると、該補助枠体に連動して圧接状態が解除されるよう構成された原稿搬送装置（特許文献５参照）が提案されている。
【００１２】
【特許文献１】特開平５−６１２３号公報
【特許文献２】特開平５−１５５４６３号公報
【特許文献３】実開平５−６１１５３号公報
【特許文献４】実開平７−１５７１３２号公報
【特許文献５】特許第３６６０８５９号公報
【発明の開示】
【発明が解決しようとする課題】
【００１３】
前述したように、ＡＤＦ１３０は、原稿カバーの底面に設けられた上記開口から原稿を一端排出してプラテンガラス１４３に沿って移動させ、再びＡＤＦ１３０の内部側へ搬送する機構が採用されている。仮に、ＡＤＦ１３０に、上記各公知文献に記載の技術が採用されるとしても、上記開口付近で発生した原稿詰まり（ジャム）を解除する作業（ジャム処理作業）を行うには、まず、プラテンガラス１４３を覆う原稿カバーを開ける操作を行い、次いで、搬送ローラ１４０とピンチローラ１４１との圧接を解除する操作を行う必要がある。このように少なくとも２度の操作を行うことにより、上記開口から原稿を引き出すことが可能となる。しかしながら、上述の２度の操作を煩わしく感じる使用者は、原稿カバーの底面に設けられた上記開口付近で原稿詰まりが生じたときに、原稿カバーを開け、圧接解除を行うことなく露出された原稿を無理に引っ張り出そうとする場合がある。この場合、原稿が圧接された状態で引き出されるため、原稿が損傷するおそれがある。また、使用者が圧接解除の操作方法を知らない場合は、迅速なジャム処理を行うことができないという問題もある。
【００１４】
従って、本発明は上記事情に鑑みてなされたものであり、その目的とするところは，ＡＤＦにおけるジャム処理が簡易化且つ迅速化された原稿搬送装置を提供することにある。
【課題を解決するための手段】
【００１５】
(1)本発明は、原稿読取台の上面に配設されたプラテンガラスを覆うように該原稿読取台に開閉可能に支持されたカバー部材に設けられ、原稿が載置される原稿載置部から原稿が排出される原稿排出部へ搬送路を通じて原稿を搬送する原稿搬送装置であって、上記搬送路に配設され、原稿をニップして搬送する上下一対の搬送ローラ対と、上記搬送ローラ対の下側に配置された下側搬送ローラの軸を、該下側搬送ローラが、その上側に配置された上側搬送ローラに対して接離するように、上下可動に支持する軸受部材と、上記カバー部材の上記下側搬送ローラの下方に上下可動に設けられ、カバー部材の開時にその底面から突出する突出姿勢と、カバー部材の閉時にその底面に没入する没入姿勢とに姿勢変化する出没部材と、上記出没部材に支持され、該出没部材が突出姿勢の場合に上記下側搬送ローラが上記上側搬送ローラから離反し、出没部材が没入姿勢の場合に下側搬送ローラが上側搬送ローラに圧接するように、下側搬送ローラを上側搬送ローラへ付勢する付勢部材と、を具備してなるものである。
【００１６】
カバー部材は、原稿読取台に開閉可能に支持される。カバー部材には、原稿搬送装置の出没部材が、カバー部材の開時にその底面から突出する突出姿勢と、カバー部材の閉時にその底面に没入する没入姿勢とに姿勢変化するように設けられている。カバー部材が原稿読取台に対して閉じられると、出没部材は、原稿読取台に当接して没入姿勢になる。出没部材が没入姿勢になれば、出没部材に支持された付勢部材が、下側搬送ローラを上側搬送ローラに圧接するように付勢する。これにより、搬送ローラ対、すなわち上側搬送路ローラと下側搬送ローラとにニップされて原稿が搬送可能になる。カバー部材が原稿読取台に対して開かれると、出没部材は原稿読取台から離反して上下動が可能になる。出没部材は、その自重により又は下側搬送ローラの荷重を受けて突出姿勢になる。出没部材が突出姿勢になれば、出没部材に支持された付勢部材は、下側搬送ローラが上側搬送ローラから離反するように付勢する。下側搬送ローラは、自重により、その軸が軸受部材に対して下方へ移動することにより、上側搬送ローラから離反する。これにより、搬送ローラ対、すなわち上側搬送路ローラと下側搬送ローラとの圧接が解除される。このように、搬送ローラ対は、カバー部材の開閉に連動してニップした状態又はニップが解除された状態になる。
【００１７】
(2)上記カバー部材は、その底面の上記プラテンガラスに対向する位置に開口が形成されたものであり、上記搬送路は、上記原稿載置部から上記開口を経て上記原稿排出部へ原稿を案内するものであり、上記搬送ローラ対は、上記開口付近の上記搬送路に配設されて、該開口へ原稿を搬送するもの又は該開口から原稿を搬送するもののいずれか一方又は双方であってもよい。
【００１８】
原稿読取台に対してカバー部材が開かれることにより、カバー部材の底面に形成された開口が露出される。また、カバー部材が開かれることにより、前述したように、搬送ローラ対のニップが解除される。したがって、カバー部材が閉じられた状態で搬送ローラ対にニップされていた原稿を、上記開口から引き出すようにして取り除くことができる。これにより、開口付近で生じたジャムを迅速且つ簡易に処理することができる。
【００１９】
(3)上記出没部材は、上記原稿読取台の上面であって上記プラテンガラスが設けられていない位置に当接して、上記カバー部材に没入するものであってもよい。
【００２０】
出没部材は、カバー部材が閉じられることにより、原稿載置台の上面に当接する。出没部材は、プラテンガラスが設けられていない位置に当接するので、出没部材によりプラテンガラスが傷つけられることがない。これにより、プラテンガラスを介した良好が画像読取りを維持することができる。
【発明の効果】
【００２１】
本原稿搬送装置によれば、カバー部材に、出没部材が、その底面から突出する突出姿勢と底面に没入する没入姿勢に姿勢変化するように設けられ、カバー部材が原稿読取台に対して閉じられることにより、出没部材が原稿読取台に当接して没入姿勢になって、該出没部材に支持された付勢部材が、下側搬送ローラを上側搬送ローラに圧接するように付勢し、カバー部材が原稿読取台に対して開かれることにより、出没部材が突出姿勢になって、出没部材に支持された付勢部材が、下側搬送ローラが上側搬送ローラから離反するように付勢することとしたので、搬送ローラ対を、カバー部材の開閉に連動してニップした状態又はニップが解除された状態にすることができる。これにより、搬送ローラ対のニップを解除するための操作を行うことなく、カバー部材を開くのみで、搬送ローラ対がニップしていた原稿のジャム処理を行うことができるので、ジャム処理の簡易化及び迅速化が実現される。
【発明を実施するための最良の形態】
【００２２】
以下、適宜図面を参照して本発明の実施の形態を説明する。図１は、本発明の実施の形態に係るＡＤＦ６（原稿搬送装置）を備えた複合機１の外観構成を示す全体斜視図である。本複合機１は、下部に配設されたプリンタ部２と、その上部に配設されたスキャナ部３と、スキャナ部３の更に上部に配設された原稿カバー７（カバー部材）と、装置上面の前方に配置された操作パネル９及びスロット部８とを一体的に備えた多機能装置（MFD；Multi Function Device）であり、プリンタ機能、スキャナ機能、コピー機能及びファクシミリ機能などを有する。
【００２３】
本発明に係るＡＤＦ６は、原稿カバー７と一体に構成されており、複合機１のスキャナ部３に原稿を読み取らせるものとして実現されている。従って、上記プリンタ機能やコピー機能などは本発明において任意の機能であり、例えば、スキャナ機能のみを実現するスキャナ装置単体として本発明に係るＡＤＦ６が具現化されていてもよい。もちろん、スキャナ装置単体に限られず、例えば、スキャナ部３を備えてなる複写機において、スキャナ部３に原稿を搬送するためのＡＤＦ６として実現されるものであってもよい。
【００２４】
複合機１の上面の前方側に設けられた操作パネル９は、各種操作ボタンや液晶表示部から構成されており、複合機１は、操作パネル９からの指示によって動作するようになっている。また、複合機１は、操作パネル９による指示のほか、コンピュータに接続されて該コンピュータからプリンタドライバやスキャナドライバ等を介して送信される指示によっても動作する。
【００２５】
また、スロット部８は、記録媒体である各種小型メモリカードの装填を可能とするものであり、複合機１の正面の左上部に設けられている。本複合機１では、スロット部８に装填された小型メモリカードに記録された画像データを読み出してその画像データに関する情報を操作パネル９の液晶表示部に表示させ、任意の画像をプリンタ部３により記録用紙に記録させることができる。このための入力は、操作パネル９から行うことができる。
【００２６】
スキャナ部３は、図１に示すように、ＦＢＳ（Flatbed Scanner）として機能する原稿読取台５に対して、ＡＤＦ６を備えた原稿カバー７が、背面側の図示しない蝶番を介して開閉可能に取り付けられてなる。図２に原稿カバー７が開けられた状態を示す斜視図を示す。
【００２７】
原稿読取台５は、複合機１の筐体であり、装置上面の一部を構成している。また、原稿カバー７も、装置の上面の一部を構成するものである。図２に示すように、原稿カバー７と対向する上面にはプラテンガラス６０が配設されている。図１に示すように原稿カバー７が閉じられた状態で、プラテンガラス６０は原稿カバー７により覆われる。この状態で、原稿カバー７が装置上面の一部となる。
【００２８】
原稿カバー７の底面、すなわち、プラテンガラス６０と対向する面には、図２に示すように、プラテンガラス６０に載置された原稿を押さえるために、スポンジ及び板部材などからなる原稿押さえ部材６２が配設されている。原稿押さえ部材６２は、原稿から安定した反射光を得るために、全域に亘って白色などの単一色とされている。
【００２９】
原稿カバー７の底面の端部には、ＡＤＦ６による原稿の読み取りの際に、原稿を後述する搬送路８２（図４及び図５参照）からプラテンガラス６０の所定の読取面上に露出させ、読み取り後に原稿を再び搬送路８２に戻すための原稿搬送用開口５９が形成されている。従って、原稿搬送用開口５９は、搬送路８２の一部をコンタクトガラス６０に対して露出されている。なお、図２には原稿カバー７を開けられた状態の複合機１全体が示されているが、その細部を図示することが困難である。従って、図２においては、後述するバネホルダブラケット１０６，１０７や開口１１４，１１５は省略されている。
【００３０】
プラテンガラス６０は、スキャナ部３をＦＢＳとして使用する場合に原稿を載置するものであり、例えば無色透明なガラス板である。もちろん、無色透明の部材であれば、ガラス製であることに限られない。透明プラスチックなどの樹脂で成形されたものを用いることも可能である。
【００３１】
また、プラテンガラス６０には、その上面に、基準板５８が設けられている。この基準板５８は、スキャナ部３がＦＢＳとして用いられる場合に原稿が載置される位置を決めるためのものである。基準板５８は、正面から見てプラテンガラス６０の奥行き方向（主走査方向）に延設された長尺の平板状の部材である。基準板５８の上面には、中央位置やＡ４サイズ、Ｂ５サイズ等の各種原稿サイズの両端位置を示す表示が記されている。
【００３２】
プラテンガラス６０の一端側は、搬送ローラ１００の下方付近にまで至っている。基準板５８は、プラテンガラス６０の一端から所定幅だけ隔てて配置されている。この所定幅だけ隔てられた間隔が、ＡＤＦ読み取りの際の読取面８４を構成する。
【００３３】
図３に示すように、原稿読取台５の内部には、プラテンガラス６０に対向するようにして、画像読取ユニット６１が内蔵されている。ここに、図３はプラテンガラス６０の上方から見た原稿読取台５の平面図である。なお、説明の便宜上、図中において、原稿カバー７を省略している。
【００３４】
ここで、図３を参照しつつ、原稿読取台５の内部構成について説明する。原稿読取台５の筐体の下フレーム６３内には、画像読取ユニット６１が配設されている。中央にプラテンガラス６０を露出するための開口が形成された上カバー７１（図４及び図５参照）が下フレーム６３に嵌合されて、原稿読取台５の筐体が構成される。下フレーム６３及び上カバー７１は共に合成樹脂製のものである。下フレーム６３は、底板を構成するベース部６４と、ベース部６４の周囲から起立した側壁６５と、画像読取ユニット６１が配設される部分と操作パネル９の基板等が配設される部分とを仕切る仕切板６６とが一体的に成形されたものである。なお、下フレーム６３には、さらに、プラテンガラス６０を支持するための支持リブや、各種部材をネジ止めするためのボス部、電気配線等のための貫通孔等が設けられているが、これらは原稿読取台５の実施態様に応じて適宜設計されるものなので、詳細な説明は省略する。
【００３５】
画像読取ユニット６１は、コンタクトイメージセンサ（Contact Image Sensor）６７、キャリッジ６８、ガイドシャフト６９、及びベルト駆動機構７０から構成されている。コンタクトイメージセンサ６７は、光源を発光させて原稿に光を照射し、原稿からの反射光をレンズにより光電変換素子に導き、光電変換素子が反射光強度に応じた電気信号を出力するいわゆる密着型のイメージセンサである。コンタクトイメージセンサ６７は、キャリッジ６８に搭載されて、プラテンガラス６０の下方を往復移動される。キャリッジ６８は、下フレーム６３の幅方向に渡って架設されたガイドシャフト６９と嵌合し、ベルト駆動機構７０により駆動されて、ガイドシャフト６９上を摺動するように移動される。キャリッジ６８が、コンタクトイメージセンサ６７をプラテンガラス６０に密着させるように搭載してガイドシャフト６９上を移動されることにより、コンタクトイメージセンサ６７がプラテンガラス６０と平行に移動される。
【００３６】
スキャナ部３をＦＢＳとして使用する場合は、原稿カバー７を開いてプラテンガラス６０上に原稿を載置し、原稿カバー７を閉じて該原稿をプラテンガラス６０上に固定する。この状態で、操作パネル９等から読取指示が入力されると、画像読取ユニット６１がプラテンガラス６０に沿って走査され、プラテンガラス６０に載置された原稿の画像が、画像読取ユニット６１により下方側から上記プラテンガラス６０を介して読み取られる。これにより、ＦＢＳによる原稿の画像読み取りが行われる。
【００３７】
なお、本実施の形態では、コンタクトイメージセンサ６７を含んで構成される画像読取ユニット６１を適用する例について説明するが、例えば、ＣＣＤ（Charge Coupled Device，電荷結合素子）或いはＣＭＯＳ（Complementary Metal-Oxide Semiconductor，相補型金属酸化膜半導体）等のイメージセンサから構成されてなる画像読取ユニットを適用することも可能である。
【００３８】
また、本実施の形態では、スキャナ部３がＦＢＳとしても用いられるものであるから、画像読取ユニット６１はプラテンガラス６０に沿って走査可能なものとしているが、ＦＢＳは任意の機能であり、スキャナ部３を本発明のＡＤＦ６のみで画像読取りを行うものとして実現する場合には、画像読取ユニット６１は読取面８４の下方に据え置けばよく、走査機構は不要である。
【００３９】
以下、原稿カバー７及びＡＤＦ６の構成について詳述する。図１に示すように、原稿カバー７には、原稿が載置される原稿トレイ８１（原稿載置部）から所定の搬送路８２（図４及び図５参照）を経て原稿排出トレイ８３（原稿排出部）へ原稿を自動的に連続搬送するＡＤＦ６が備えられている。ＡＤＦ６による搬送過程において、原稿が読取面８４を通過し、該読取面８４の下方において画像読取ユニット６１が該原稿の画像を読み取るようになっている。
【００４０】
原稿カバー７の上側には、原稿トレイ８１及び原稿排出トレイ８３が上下二段に設けられている。具体的には、原稿トレイ８１の上方に原稿排出トレイ８３が配設されている。原稿トレイ８１は、原稿カバー７の上面と一体に形成されている。ＡＤＦ６により画像読み取りが行われる原稿は、複数枚が積層された状態で、給紙方向の先端をＡＤＦ６に挿入するようにして、原稿トレイ８１上に載置される。
【００４１】
原稿トレイ８１には、複合機１の奥行き方向に隔てて一対の原稿ガイド８５が、奥行き方向へスライド移動可能に設けられている。原稿ガイド８５は、原稿トレイ８１から起立して、原稿トレイ８１に載置される原稿の幅方向の位置を規制するものである。一対の原稿ガイド８５は、周知の連動機構により、いずれか一方の原稿ガイド８５をスライド移動させると、他方の原稿ガイド８５も連動して相反する方向へスライド移動する。
【００４２】
原稿幅が狭い場合には、複合機１の正面側の一方の原稿ガイド８５を背面側へスライド移動させると、これに連動して、背面側の他方の原稿ガイド８５は正面側へスライド移動する。これにより、奥行き方向の略中央を中心として、一対の原稿ガイド８５により規制される原稿幅を狭くすることができる。原稿幅が広い場合には、複合機１の正面側の一方の原稿ガイド８５を正面側へスライド移動させると、これに連動して、背面側の他方の原稿ガイド８５は背面側へスライド移動して、一対の原稿ガイド８５により規制される原稿幅を広くすることができる。
【００４３】
一対の原稿ガイド８５には、原稿トレイ８１と上下方向に隔てて原稿排出トレイ８３がそれぞれ一体的に形成されている。ＡＤＦ６から排紙された原稿は、その両側を原稿排出トレイ８３に担持されて、原稿トレイ８１上の原稿と分離した状態で保持される。原稿排出トレイ８３は、排紙方向の長さが原稿の長さより短いので、原稿の排紙方向先端側は、原稿排出トレイ８３から垂れ下がるようにして、原稿トレイ８１上に保持される。したがって、原稿トレイ８１上の原稿の給紙方向後端部分の上に、原稿排出トレイ８３上の原稿の排紙方向先端部分が重なる。しかし、原稿トレイ８１上の原稿の給紙方向先端部分と、原稿排出トレイ８３上の原稿の排紙方向後端部分とは、原稿排出トレイ８３により上下二段に保持されているので、読み取り前の原稿と読み取り後の原稿とが混同することはない。原稿排出トレイ８３を短くすることにより、原稿カバー７上に必要な空間を小さくして、複合機１を薄型且つ小型にすることができる。
【００４４】
図１に示すように、原稿トレイ８１のＡＤＦ６が設けられていない側の端部には、原稿ストッパ８６が設けられている。原稿ストッパ８６は、原稿トレイ８１の上面から起立する起立姿勢と、原稿トレイ８１の上面と一体に倒伏する倒伏姿勢とに姿勢変化する。原稿ストッパ８６を起立姿勢とすることにより、例えば、原稿トレイ８１と同程度の大きさの原稿がＡＤＦ６から排出された際に、原稿が原稿ストッパ８６により制止される。これにより、ＡＤＦ６から排出された原稿が原稿カバー７から滑り落ちることが防止される。排出された原稿を原稿ストッパ８６で受け止めることにより、原稿トレイ８１、即ち原稿カバー７の面積を小さくすることができ、装置の小型化が実現される。また、原稿ストッパ８６が不要な場合には倒伏姿勢とすることにより、原稿ストッパ８６が原稿カバー７から突出せず、梱包時や保管時の複合機１のサイズをコンパクトにできる。
【００４５】
続いて、図４及び図５を用いてＡＤＦ６の内部構造について詳細に説明する。図４は原稿カバー７が閉じられたときのＡＤＦ６の内部構造を示す断面図、図５は原稿カバー７が開けられたときのＡＤＦ６の内部構造を示す断面図である。
【００４６】
図示するように、ＡＤＦ６の内部には、原稿トレイ８１と原稿トレイ８１の上方に配設された原稿排出トレイ８３とを連結するようにして、搬送路８２が設けられている。原稿トレイ８１に載置された原稿は搬送路８２を通って原稿排出トレイ８３へ向けてＵターン搬送される。搬送路８２は、原稿カバー７に一体に形成されたＡＤＦ本体８７と、原稿排出トレイ８３の下側から下方へ延びるよう形成されたガイドリブ８０及び原稿排出トレイ８３に一体的に形成された搬送ガイド面を構成するガイド板７９とによって構成されている。また、ＡＤＦ本体８７には上方向へ開閉可能に設けられたＡＤＦカバー８８（図１参照）が設けられている。
【００４７】
ＡＤＦ６の吸入シュート部８９は、原稿トレイ８１の原稿載置面が延長されるように形成されている。吸入シュート部８９は、ＡＤＦ本体８７と一体的に形成されたガイド板９０とガイドリブ８０とをガイド面として、上下に所定幅の通路として構成されている。ＡＤＦ６により画像読取りが行われる原稿は、給紙方向の先端を吸入シュート部８９に挿入するようにして、原稿トレイ８１上に載置される。
【００４８】
ＡＤＦ６の排紙シュート部９３は、搬送路８２から連続するようにして、搬送路８２の給紙方向下流側の端部に形成されている。排紙シュート部９３はＡＤＦ本体８７、ガイド板７９等により、所定幅の通路として連続的に形成されている。
【００４９】
搬送路８２は、吸入シュート部８９から、原稿搬送用開口５９及び湾曲部９２を経て、排紙シュート部９３へ横向き略Ｕ字形状に形成されている。原稿トレイ８１に載置された原稿は、吸入シュート部８９に案内されて、原稿搬送用開口５９を通って、湾曲部９２へ給送され、排紙シュート部９３から原稿排出トレイ８３へ排紙される。すなわち、上記原稿トレイ８１から搬送路８２を通って原稿排出トレイ８３へＵターン搬送される。
【００５０】
なお、本実施の形態では、原稿トレイ８１の上方に配設された原稿排出トレイ８３へ原稿を搬送する例について説明するが、原稿トレイ８１と原稿排出トレイ８３の配設位置は適宜変更することが可能である。例えば、原稿トレイ８１の下方に原稿排出トレイ８３が配設された構成において、上方の原稿トレイ８１から下方の原稿排出トレイ８３へ搬送路８２を通って原稿が搬送される実施例にも本発明は適用可能である。
【００５１】
搬送路８２には、吸入シュート部８９から給紙方向への原稿の給紙を実現するために、吸入ローラ９４とこれに圧接する吸入ニップ片９５、分離ローラ９６とこれに圧接する分離ニップ片９７が配設されている。また、搬送路８２から原稿排出トレイ８３へ原稿を排出するための排出ローラ９８とこれに圧接するピンチローラ９９が配設されている。更にまた、図示しないモータによって積極的に駆動される２つの搬送ローラ１００，１０１（上側搬送ローラ）とこれらに圧接する２つのピンチローラ１０２、１０３（下側搬送ローラ）が配設されている。上記ピンチローラ１０２、１０３は上記搬送ローラ１００，１０１よりも下方側に配設されており、これらにより、原稿をニップして搬送する上下一対の搬送ローラ対１０４，１０５が構成される。なお、上述の排出ローラ９８、ピンチローラ９９、吸入ローラ９４、吸入ニップ片９５、分離ローラ９６、分離ニップ片９７の構成は一例であって、例えば、ローラの数や配置を変更したり、各ニップ片に代えてピンチローラを用いたり、或いは各ピンチローラに代えてニップ片を用いるなど、その他の公知の搬送手法を適用することは勿論可能である。また、搬送ローラ対の数や配置の変更も適宜可能であることは勿論である。
【００５２】
吸入ローラ９４は、吸入シュート部８９の略中央に、そのローラ面の一部をガイド板９０の上面から露出するようにして回転可能に設けられている。同様に、分離ローラ９６は、吸入ローラ９４から給紙方向へ隔てた位置に、そのローラ面の一部をガイド板９０の上面から露出するようにして回転可能に設けられている。吸入ローラ９４及び分離ローラ９６は、図示しないモータからの駆動力が伝達されて、回転駆動されるようになっている。吸入ローラ９４及び分離ローラ９６は同径であり、同じ周速度で回転される。吸入ローラ９４への駆動伝達においては１周クラッチが介設されており、吸入ローラ９４は１周分の空転が可能となっている。
【００５３】
吸入ニップ片９５は、ガイドリブ８０の吸入ローラ９４の対向位置に、吸入ローラ９４と接離する方向へ揺動可能に設けられている。吸入ニップ片９５は、吸入ローラ９４の軸方向のローラ幅より若干狭い幅のパッド状のものである。吸入ニップ片９５が、その給紙方向上流側の両側を回動軸としてガイドリブ８０に軸支されることにより、給紙方向下流側の端部が吸入ローラ９４のローラ面に接触可能に進退する。吸入ニップ片９５は、バネ部材により下方へ弾性付勢されており、原稿をニップしない状態で常時吸入ローラ９４に圧接されている。なお、パッド状の吸入ニップ片９５に代えてローラを用いてもよいが、パッド状の当接部材とすることにより、当接部材を簡易且つ省スペースで実現することができ、また、当接部材に付与する弾性付勢力の調整が容易である。
【００５４】
分離ニップ片９７は、ガイドリブ８０の分離ローラ９６の対向位置に、分離ローラ９６と接離する方向へ揺動可能に設けられている。分離ニップ片９７は、分離ローラ９６の軸方向のローラ幅より若干狭い幅のパッド状のものである。分離ニップ片９６は、その給紙方向上流側を回動軸として、給紙方向下流側の端部が分離ローラ９６のローラ面に接触可能に進退する。分離ニップ片９７は、バネ部材により下方へ弾性付勢されており、原稿をニップしない状態で常時分離ローラ９６のローラ面に圧接されている。なお、パッド状の分離ニップ片９７に代えてローラを分離ローラ９６に当接させることとしてもよいが、パッド状の当接部材とすることにより、当接部材を簡易且つ省スペースで実現することができ、また、当接部材に付与する弾性付勢力の調整が容易である。
【００５５】
排出ローラ９８とこれに圧接するピンチローラ９９は、搬送路８２の排紙シュート部９３側に配設されている。排出ローラ９８は吸入ローラ９４及び分離ローラ９６と同様に、図示しないモータからの駆動力が伝達されて回転駆動される。排出ローラ９８は湾曲部９２付近に設けられたガイド板７９で軸支され、ピンチローラ９９は排出ローラ９８と対向する位置でＡＤＦカバー８８に軸支されている。ＡＤＦカバー８８は、ＡＤＦ本体８７に開閉可能に設けられいる。ＡＤＦカバー８８が開けられると排出ローラ９８とピンチローラ９９との圧接が解除される。また、ＡＤＦカバー８８と排出ローラ９８とが大きく離間され、排紙シュート９３が開放される。これにより、排紙シュート９８において発生した原稿詰まり（ジャム）を解消したり、排出ローラ９８やピンチローラ９９等の内部機構のメンテナンスを行うことが可能となる。
【００５６】
搬送ローラ１００とピンチローラ１０２からなる搬送ローラ対１０４は、搬送路８２に設けられた原稿搬送用開口５９の給紙方向下流側の湾曲部９２に配設されいる。搬送ローラ１００はガイド板７９に回転可能に軸支されている。また、ピンチローラ１０２はその下方に設けられたバネホルダブラケット１０６（出没部材）と、バネホルダブラケット１０６に支持されたバネ片１０８（付勢部材）とによって、その軸１１６が支持されている。一方、搬送ローラ１０１とピンチローラ１０３からなる搬送ローラ対１０５は、原稿搬送用開口５９の給紙方向上流側であって、分離ローラ９６に至るまでの搬送路８２に配設されている。搬送ローラ１０１はガイドリブ８０に回転可能に軸支されている。また、ピンチローラ１０３はその下方に設けられたバネホルダブラケット１０７（出没部材）と、バネホルダブラケット１０７に支持されたバネ片１０９（付勢部材）とによって、その軸１１７が支持されている。搬送ローラ１００，１０１も、吸入ローラ９４及び分離ローラ９６と同様に、図示しないモータからの駆動力が伝達されて回転駆動される。ピンチローラ１０２，１０３の支持構造については後述する。
【００５７】
バネホルダブラケット１０６，１０７はＡＤＦ本体８７に上下可動に支持されている。バネホルダブラケット１０６，１０７の下方に位置する原稿カバー７の底面には、開口１１４，１１５が形成されている。バネホルダブラケット１０６，１０７は、原稿カバー７が開けられたときに開口１１４，１１５から突出し、原稿カバー７が閉じられたときに原稿読取台５の上面とバネホルダブラケット１０６，１０７の底面とが当接することにより開口１１４，１１５に没入する。すなわち、バネホルダブラケット１０６，１０７は、原稿カバー７の開時にその底面から突出する突出姿勢と原稿カバー７の閉時にその底面に没入する没入姿勢とに姿勢変化する。バネホルダブラケット１０６，１０７の支持構造については後述する。
【００５８】
原稿カバー７が閉じられたときに、バネホルダブラケット１０６、１０７の底面が原稿読取台５の上面と当接すると、原稿読取台５の上面に配設されたプラテンガラス６０が損傷するおそれがある。そのため、本実施の形態では、搬送ローラ対１０４とバネホルダブラケット１０６は原稿読取台５の上面枠を覆う上カバー７１（図４及び図５参照）に当接する位置に配設されている。また、搬送ローラ対１０５とバネホルダブラケット１０７はプラテンガラス６０に貼り付けられた基準板５８に当接する位置に配設されている。要するに、上記バネホルダブラケット１０６、１０７が原稿読取台５の上面のプラテンガラス６０が設けられていない位置に当接するように配設されている。これにより、バネホルダブラケット１０６，１０７の当接によりプラテンガラス６０が傷つけられることがないため、プラテンガラス６０を介してＦＢＳ読取する際にも、良好な画像を取得することができる。
【００５９】
ここで、図６から図１１を参照しながら、ピンチローラ１０２及びバネホルダブラケット１０６の支持構造について詳細に説明する。ここに、図６は図４の矢視Ｐから見た搬送ローラ対１０４を示す図、図７は図６のＡ−Ａ線断面図、図８は図７のＢ−Ｂ線断面図である。また、図９は図５の矢視Ｑから見た搬送ローラ対１０４を示す図、図１０は図９のＣ−Ｃ線断面図、図１１は図１０のＤ−Ｄ線断面図である。なお、ピンチローラ１０３の支持構造はピンチローラ１０２のものと相違しないため、ここでの説明は省略する。
【００６０】
図８及び図１１に示すように、ＡＤＦ６には、同径に形成された４つの搬送ローラ１００がその軸方向に同軸上となるように一つの軸１１９で連結されている。これら４つの搬送ローラ１００が軸１１９で連結されることによって搬送ローラ組立体１２０が構成される。搬送ローラ組立体１２０の軸１１９はガイド板７９で軸支されている。軸１１９の一端にはプーリ１２１が装着されている。このプーリ１２１と図示しないモータの出力軸とに無端ベルトが巻回されており、該モータが回転駆動されることにより、無端ベルトを介して回転駆動力がプーリ１２１に伝達され、搬送ローラ組立体１２０が回転される。
【００６１】
ローラ組立体１２０の各搬送ローラ１００の下方には、同径に形成された４つのピンチローラ１０２がその軸方向に同軸上に一列に配列されている（図８及び図１１参照）。４つピンチローラは４つの搬送ローラ１００それぞれと対向するように配置されている。４つのピンチローラ１０２のうち、２つが一組となって一つの軸１１６で連結されることにより２組のピンチローラ組立体１１３が構成されている。すなわち、２組のピンチローラ組立体１１３が軸方向に同軸上に一列に配列されている。ピンチローラ組立体１１３の各ピンチローラ１０２の間には所定の間隔が設けられている。なお、本実施の形態では２つのピンチローラ１０２から構成されるピンチローラ組立体１１３を例示して説明するが、かかるピンチローラ組立体１１３に限られず、種々の変形例を適用することも可能である。例えば、４つのピンチローラ１０２が一組となって一つの軸で連結されたピンチローラ組立体などが考えられる。
【００６２】
搬送ローラ対１０４付近の搬送路８２の下側ガイド面を構成するＡＤＦ本体８７には、該下側ガイド面の下方へ向けて軸受部１１０（軸受部材）が突設されている（図８及び図１１参照）。軸受部１１０は、ピンチローラ組立体１１３の軸１１６を吊り下げた状態でピンチローラ１０２を回転可能に軸支するためのものであり、２組のピンチローラ組立体１１３の軸１１６を軸支するべく４つ設けられている。軸受部１１０は断面視で略コの字状の凹部１１８が形成されている。凹部１１８の陥没部は、軸方向から見て上下方向に長尺形状に形成されている。また、凹部１１８の陥没部は、軸１１８の挿脱が可能なように、軸１１８の軸径に所定の公差を加えた幅長さに形成されている。このように構成された軸受部１１０にピンチローラ組立体１１３が軸支されている。これにより、ピンチローラ１０２が上下可動に支持される。
【００６３】
ピンチローラ組立体１１３の可動ストロークは、ピンチローラ１０２が搬送ローラ１００から離反する離反位置と、ピンチローラ１０２が搬送ローラ１００に圧接する圧接位置との間でピンチローラ組立体１１３が上下可動な範囲を要する。そのため、軸受部１１０の凹部１１８の上下方向の長さは、軸受部１１０の凹部１１８の最下端でピンチローラ組立体が支持されたときに、ピンチローラ１０２が搬送ローラ１００から離反し、ピンチローラ組立体１１３が上方向へ持ち上げられたときにピンチローラ１０２が搬送ローラ１００に圧接することが可能なように適宜設定される。
【００６４】
２組のピンチローラ対１１３の軸方向の外側に設けられた軸受部１１０の更に外側には、一対のブラケット支持部１１１が突設されている。ブラケット支持部１１１は、軸受部１１０と同じように、上記下側ガイド面から下方へ向けて突設されている。一対のブラケット支持部１１１は、バネホルダブラケット１０６を吊り下げるようにして上下可動に支持するためのものである。ブラケット支持部１１１の先端は、断面視で略内向き鉤状に形成されている。
【００６５】
バネホルダブラケット１０６は、ブラケット支持部１１１の鉤状の先端に掛止される掛止片１２２と、原稿読取台５の上カバー７１に当接する底面を含む底板１２３と、バネ片１０８を伸縮自在に収容するバネホルダ１１２とを備えてなる。底板１２３は、ピンチローラ組立体１１３の軸方向に長い平板部材からなり、その長手方向の両端部に掛止片１２２が形成され、底板１２３の上側面にバネホルダ１１２が形成されている。掛止片１２２は、その先端が断面視で略外向き鉤状に形成されており、これにより、掛止片１２２の先端がブラケット支持部１１１の先端で掛止されるようになっている。掛止片１２２の先端がブラケット支持部１１１の先端に掛止されると、バネホルダブラケット１０６が一対のブラケット支持部１１１に吊り下げられるようにして支持される。
【００６６】
バネホルダブラケット１０６が一対のブラケット支持部１１１に支持された状態、すなわち、掛止片１２２の先端がブラケット支持部１１１の先端に掛止された状態（図１１に示す状態）では、バネホルダブラケット１０６の下方への移動が制限される。この状態で、バネホルダブラケット１０６が底板１２３の底面から上方へ持ち上げられると、掛止片１２２の先端とブラケット支持部１１１の先端との掛止が解除され、バネホルダブラケット１０６は上方向へ移動する。バネホルダブラケット１０６の上方向への移動は、その先端が搬送路８２の下側ガイド面を構成するＡＤＦ本体８７に当接するまで可能である。すなわち、バネホルダブラケット１０６は、一対のブラケット支持部１１１によって、上下可動に支持されている。
【００６７】
バネホルダブラケット１０６の上下方向の可動ストロークは、掛止片１２２の先端がブラケット支持部１１１の先端に掛止されることにより、バネホルダブラケット１０６がブラケット支持部１１１に吊り下げられた場合に、原稿カバー７の底面に形成された開口１１４からバネホルダブラケット１０６の底板１２３の底面が突出され、バネホルダブラケット１０６が底板１２３の底面から上方へ押圧されることで開口１１４内に没入される範囲である。このような可動ストロークで上下動することにより、バネホルダブラケット１０６が原稿カバー７の底面から突出する突出姿勢と、原稿カバー７の底面に没入する没入姿勢とに姿勢変化する。
【００６８】
バネホルダブラケット１０６の底板１２３の上面には、バネホルダ１１２が形成されている。バネホルダ１１２は、底板１２３の上面において、ピンチローラ１０２間で露出された軸１１６に対向する位置に形成されている。バネホルダ１１２は、断面視で上側が開口された筒形状をしている。バネ片１０８はその下端がバネホルダ１１２に収容されることでバネホルダブラケット１０６で支持される。バネ片１０８は、搬送ローラ１００とピンチローラ１０１とを圧接するために、ピンチローラ組立体１１３を上方向へ付勢するためのものである。バネ片１０８としては、コイルバネ、板バネ、皿バネなど種々のものを用いることができる。そのため、バネホルダ１１２は収容されるバネ片１０８に応じてその形状が適宜定められる。
【００６９】
バネ片１０８は、バネホルダブラケット１０６が上記没入姿勢のときに、ピンチローラ１０２を搬送ローラ１００へ圧接させ、バネホルダブラケット１０６が上記突出姿勢のときにピンチローラ１０２と搬送ローラ１００との圧接を解除させ得るように伸縮するものが採用されている。すなわちバネ片１０８は、上述の如く伸縮するように、そのバネ係数が適宜決定される。このように決定されたバネ定数を有するバネ片であればいかなるものであっても適用可能である。もちろん、上記バネ定数を有するものであれば、バネ片に限られることはなく、種々の弾性部材を用いることが可能である。
【００７０】
具体的には、突出姿勢から没入姿勢に変化したときにバネホルダブラケット１０６が上方向へ移動した距離だけ圧縮されることによりバネ片１０８の付勢力が増大し、この増大した付勢力によりピンチローラ組立体１１３の自重に抗してピンチローラ組立体１１３を上方向へ移動させ、ピンチローラ１０２と搬送ローラ１００との間に十分な圧接力を生じさせ得るように伸縮するものが採用される。没入姿勢から突出姿勢に変化したときは、バネホルダブラケット１０６が下方向へ移動した距離だけ伸長されることによりバネ片１０８の付勢力が低下する。このとき、ピンチローラ組立体１１３の自重がバネ片１０８の付勢力に押し勝って、ピンチローラ組立体１１３が下方へ移動する。その結果、ピンチローラ１０２と搬送ローラ１００との圧接が解除される。この場合、図１１に示すように、ピンチローラ１１３の軸１１６は軸受部１１０の凹部１１８の下端で支持される。なお、本実施の形態では、突出姿勢時に、ピンチローラ１１３の軸１１６が軸受部１１０の凹部１１８の下端で支持される形態を例示するが、ピンチローラ１０２と搬送ローラ１００との圧接が解除されれば、ピンチローラ組立体１１３がバネ片１０８の付勢力だけにより支持される構成であってもかまわない。
【００７１】
以下、上述の如く構成されたＡＤＦ６において、バネホルダブラケット１０６、１０７の姿勢変化に伴うピンチローラ１０２，１０３の状態変化について説明する。ＡＤＦ６による画像読取の際は、原稿カバー７は原稿読取台５に対して閉じられる。原稿カバー７が閉じられると、バネホルダブラケット１０６、１０７の底面が原稿読取台５の上面に当接して上方へ押し上げられる。これにより、バネホルダブラケット１０６、１０７が原稿カバー７の底面から突出する突出状態から該底面に没入する没入姿勢へ姿勢変化される。このとき、バネホルダブラケット１０６、１０７のバネホルダ１１２に収容されていたバネ片１０８が圧縮されることにより、バネ片１０８の付勢力が増大する。この増大した付勢力はピンチローラ組立体１１３の自重に抗して軸１１６を押し上げる方向へ作用する。これにより、ピンチローラ１０２が搬送ローラ１００へ圧接される。すなわち、原稿が、搬送ローラ１００，１０２とピンチローラ１０３，１０４とにより構成される搬送ローラ対１０４によってニップされて搬送可能な状態となる。
【００７２】
この状態で、ＡＤＦ６による原稿の読み取りを行う場合は、一枚或いは複数枚からなる原稿を重ねて、その一端を原稿トレイ８１から吸入シュート部８９に挿入する。吸入シュート部２９に挿入された原稿は、吸入ローラ９４及び吸入ニップ片９５に当接され、吸入ローラ３４の空転により、原稿が更に吸入シュート部８９の奥部へ挿入される。その後、原稿は、その先端が、分離ローラ９６及び分離ニップ片９７に当接される。このとき、操作パネル７から原稿の画像読取り開始指示が入力されると、図示しない制御部によりモータが駆動されて、分離ローラ３６にモータの回転力が入力され、原稿が一枚ずつ順次搬送路８２へ送り込まれる。
【００７３】
このようにして給送された原稿は、搬送路８２に案内されて読取面８４へ向かって下方へ搬送される。すなわち、原稿は、分離ローラ９６の直下流側に配設された搬送ローラ対１０５によってニップされ、その回転力を受けて読取面８４へ搬送される。読取面８４において画像読取ユニット６１により原稿が読み取られ、その原稿が更に先に搬送されると、原稿の先端側が、読取面８４の直下流に位置する搬送ローラ対１０４によりニップされ、その回転力を受けて、湾曲部９２に沿って反転するようにしてＵターン搬送される。この間も、画像読取ユニット６１は、読取面８４上を通過する原稿の画像を読み取る。そして、原稿の後端が読取面８４に到達し、原稿の後端が読取面８４を通過すれば、画像読取ユニット６１による画像読取りが終了され、その後、排出ローラ９８とピンチローラ９９とにより排紙シュート部９３から排紙トレイ８３へ原稿が排出される。
【００７４】
上述の如く原稿が搬送される過程において、原稿詰まり等によりジャムが生じることがある。原稿の先端が湾曲部９２より下流側に達したときにジャムが生じた場合は、ＡＤＦカバー８８を図５に示すように開けて、排紙シュート９３や湾曲部９２を開放することにより、容易にジャム処理を行うことができる。しかしながら、原稿の先端が湾曲部９２に到達するまでにジャムが生じた場合は、ＡＤＦカバー８８を開けたとしても、原稿を取り出すことはできない。特に、原稿搬送用開口５９に原稿が露出されている状態でジャムが生じたときのジャム処理は容易ではない。
【００７５】
このような場合において、本ＡＤＦ６では、原稿カバー７を開けるという単純な操作だけで、原稿搬送用開口５９から原稿を損傷させることなく容易に取り出すことができる。すなわち、図５に示すように、原稿カバー７が原稿読取台５に対して開けられると、バネホルダブラケット１０６、１０７の底面が原稿読取台５から離反して、バネホルダブラケット１０６、１０７の下方への移動が可能となる。つまり、バネホルダブラケット１０６、１０７の上下動が可能な状態となる。このとき、バネホルダブラケット１０６、１０７はその自重により、又は、ピンチローラ組立体１１３の荷重を受けて下方へ移動されて、突出姿勢へ変化される。このとき、バネホルダブラケット１０６のバネホルダ１１２に収容されていたバネ片１０８が伸長されて、バネ片１０８の付勢力が低下して、突出姿勢への変化が後押しされる。その際、ピンチローラ組立体１１３の自重がバネ片１０８の付勢力に打ち勝つことにより、ピンチローラ組立体１１３が下方へ移動される。これにより、ピンチローラ１０２、１０３と搬送ローラ１００、１０１との圧接が解除される。すなわち、搬送ローラ１００、１０１とピンチローラ１０２、１０３とにより構成される搬送ローラ対１０４、１０５による原稿のニップ可能状態が解除された状態となる。
【００７６】
このように、ＡＤＦ６の搬送ローラ対１０４、１０５は、原稿カバー７の開閉に連動して、原稿のニップ可能な状態と原稿のニップ可能状態が解除された状態とに変化される。従来は、ジャム処理をするに当たって、原稿カバー７を開ける操作に加え、ニップを解除する操作を行う必要があった。ニップ解除の操作が煩わしく、或いはニップの解除方法を知らないため、原稿がニップされた状態のまま無理に原稿を取り出そうとすることにより、原稿が損傷することがあった。しかし、本ＡＤＦ６によれば、原稿カバー７を開けるという簡易な操作を行うことにより、ニップ解除の操作を知らない使用者でも、搬送ローラ対１０４、１０５によるニップが自動的に解除されるため、原稿搬送用開口５９から或いは吸入シュート８９から容易に原稿を取り出すことが可能となる。
【００７７】
なお、上記実施の形態は本発明の一例にすぎず、本発明の要旨を変更しない範囲で、実施形態を適宜変更できることは言うまでもない。
【図面の簡単な説明】
【００７８】
【図１】図１は、本発明の実施の形態に係るＡＤＦ６を備えた複合機１の外観構成を示す全体斜視図である。
【図２】図２は、原稿カバー７が開けられた状態を示す斜視図である。
【図３】図３は、プラテンガラス６０の上方から見た原稿読取台５の平面図である。
【図４】図４は、原稿カバー７が閉じられたときのＡＤＦ６の内部構造を示す断面図である。
【図５】図５は、原稿カバー７が開けられたときのＡＤＦ６の内部構造を示す断面図である。
【図６】図６は、図４の矢視Ｐから見た搬送ローラ対１０４を示す図である。
【図７】図７は、図６のＡ−Ａ線断面図である。
【図８】図８は、図７のＢ−Ｂ線断面図である。
【図９】図９は、図５の矢視Ｑから見た搬送ローラ対１０４を示す図である。
【図１０】図１０は、図９のＣ−Ｃ線断面図である。
【図１１】図１１は、図１０のＤ−Ｄ線断面図である。
【図１２】図１２は、従来のＡＤＦ１３０の概略構成を示す模式図である。
【符号の説明】
【００７９】
１・・・複合機
２・・・プリンタ部
３・・・スキャナ部
５・・・原稿読取台
６・・・ＡＤＦ（原稿搬送装置）
７・・・原稿カバー
９・・・操作パネル
６０・・・プラテンガラス
６１・・・画像読取ユニット
１２・・・軸
６７・・・コンタクトイメージセンサ
８１・・・原稿トレイ（原稿載置部）
８２・・・搬送路
８３・・・原稿排出トレイ（原稿排出部）
１００，１０１・・・搬送ローラ（上側搬送ローラ）
１０２，１０３・・・ピンチローラ（下側搬送ローラ）
１０４、１０５・・・搬送ローラ対
【図１】
2007060085.tif 000003
【図２】
2007060085.tif 000004
【図３】
2007060085.tif 000005
【図４】
2007060085.tif 000006
【図５】
2007060085.tif 000007
【図６】
2007060085.tif 000008
【図７】
2007060085.tif 000009
【図８】
2007060085.tif 000010
【図９】
2007060085.tif 000011
【図１０】
2007060085.tif 000012
【図１１】
2007060085.tif 000013
【図１２】
2007060085.tif 000014
【手続補正書】
【提出日】平成18年5月8日(2006.5.8)
【手続補正１】
【補正対象書類名】明細書
【補正対象項目名】００１２
【補正方法】変更
【補正の内容】
【００１２】
【特許文献１】特開平５−６１２３号公報
【特許文献２】特開平５−１５５４６３号公報
【特許文献３】実開平５−６１１５３号公報
【特許文献４】特開平７−１５７１３２号公報
【特許文献５】特許第３６６０８５９号公報